(57)【特許請求の範囲】
【請求項１】
表示装置であって、
光源と、
前記光源からの光を変調する変調装置と、
オペレーティングシステムを実行し、前記表示装置の動作を制御する第１プロセッサーと、
前記第１プロセッサーと並列に動作して、前記光源及び前記変調装置を制御する第２プロセッサーと、
前記第２プロセッサーにより処理される制御データを記憶する記憶部と、を備え、
前記第１プロセッサーは、前記オペレーティングシステムを起動する前に、前記記憶部に記憶された前記制御データを前記第２プロセッサーへ送信し、
前記第２プロセッサーは、前記第１プロセッサーが前記オペレーティングシステムを起動する動作と並行して、前記第１プロセッサーにより送信される前記制御データに基づき、前記光源及び前記変調装置を制御する、
ことを特徴とする表示装置。
【請求項２】
前記第２プロセッサーは、前記第１プロセッサーが前記オペレーティングシステムを起動する動作と並行して、前記光源を発光させるための光源準備を行い、前記光源準備が完了した後に前記光源を発光させる、
ことを特徴とする請求項１記載の表示装置。
【請求項３】
前記第１プロセッサーは、前記オペレーティングシステムを起動する前に、前記光源を発光させるための光源準備の指示を前記第２プロセッサーに送信し、
前記第２プロセッサーは、前記第１プロセッサーが送信する指示に基づき、前記光源を発光させるための光源準備を行い、前記光源準備が完了した後に前記光源を発光させる、
ことを特徴とする請求項１記載の表示装置。
【請求項４】
前記光源は放電管を備えて構成され、
前記第１プロセッサーには、前記第２プロセッサーが前記光源の前記放電管を点灯させる期間に一部の機能を停止する停止期間が設定され、前記停止期間と前記オペレーティングシステムを起動する処理の実行期間とが重複する、
ことを特徴とする請求項２または３記載の表示装置。
【請求項５】
前記変調装置により変調された光を遮るシャッターと、
前記シャッターを駆動するシャッター駆動部と、を備え、
前記第１プロセッサーは、前記シャッター駆動部を制御して前記シャッターを開放させ、
前記第２プロセッサーは、前記第１プロセッサーの制御により前記シャッターが開放された後に前記光源を発光させる、
ことを特徴とする請求項２から４のいずれかに記載の表示装置。
【請求項６】
前記第１プロセッサーは、前記オペレーティングシステムを起動する前に、前記シャッター駆動部に前記シャッターを開放させる制御を行う、
ことを特徴とする請求項５記載の表示装置。
【請求項７】
光源と、前記光源からの光を変調する変調装置と、を備える表示装置の制御方法であって、
オペレーティングシステムを実行し、前記表示装置の動作を制御する第１プロセッサーと、前記第１プロセッサーと並列に動作して、前記光源及び前記変調装置を制御する第２プロセッサーとを、並列して動作させ、
前記第１プロセッサーにより、前記オペレーティングシステムを起動する前に、前記第２プロセッサーにより処理される制御データを記憶部から前記第２プロセッサーへ送信し、
前記第２プロセッサーにより、前記第１プロセッサーが前記オペレーティングシステムを起動する動作と並行して、前記第１プロセッサーにより送信される前記制御データに基づき、前記光源及び前記変調装置を制御する、
ことを特徴とする表示装置の制御方法。
【発明の詳細な説明】
【技術分野】
【０００１】
本発明は、表示装置、及び、表示装置の制御方法に関する。
【背景技術】
【０００２】
従来、表示装置において、複数のプロセッサーを備える表示装置が知られている（例えば、特許文献１参照）。特許文献１は、表示装置を制御する全体制御プロセッサーと、映像に係る処理を実行する映像出力系プロセッサーとを備えるプロジェクターを開示する。特許文献１記載のプロジェクターは、電源オン操作がなされると、全体制御プロセッサーが起動し、映像処理系プロセッサーを起動させる。
【先行技術文献】
【特許文献】
【０００３】
【特許文献１】特開２０１５−１５８６５９号公報
【発明の概要】
【発明が解決しようとする課題】
【０００４】
一般に、表示装置の電源をオンすると、映像を表示するための発光部等を動作させるために時間がかかることが知られている。また、表示装置を含む電子機器は、通常、装置全体を制御する基本制御プログラム、例えばオペレーティングシステムを実行する。このため、表示装置の電源をオンしたときには基本制御プログラムを起動するための時間も必要である。このため、電源をオンしてから表示を開始するまでの時間がかかるという問題があった。
この問題に鑑み、特許文献１記載のプロジェクターは、映像処理系プロセッサーの処理に必要なパラメーターを、映像処理系プロセッサーが記憶部から読み出す構成としている。この構成によれば、全体制御プロセッサーが起動するまで待たずに、映像処理系プロセッサーが処理を実行できる。しかしながら、全体制御プロセッサーと映像処理系プロセッサーがそれぞれ記憶部にアクセスするため、記憶部が記憶するパラメーター等のデータの整合性管理や記憶部へのアクセス管理等を効率よく行う必要があった。
本発明は上記課題に鑑みてなされたものであり、表示装置が起動してから映像を表示可能になるまでの時間を短縮でき、シンプルな構成で実現可能な表示装置、及び、この表示装置の制御方法を提供することを目的とする。
【課題を解決するための手段】
【０００５】
上記目的を達成するために、本発明は、表示装置であって、光源と、前記光源からの光を変調する変調装置と、オペレーティングシステムを実行し、前記表示装置の動作を制御する第１プロセッサーと、前記第１プロセッサーと並列に動作して、前記光源及び前記変調装置を制御する第２プロセッサーと、前記第２プロセッサーにより処理される制御データを記憶する記憶部と、を備え、前記第１プロセッサーは、前記オペレーティングシステムを起動する前に、前記記憶部に記憶された前記制御データを前記第２プロセッサーへ送信することを特徴とする。
本発明によれば、第２プロセッサーが、表示装置の動作を制御する第１プロセッサーのオペレーティングシステムの起動完了を待たずに、制御データに基づく処理を実行できる。このため、データを記憶する記憶部等の構成の変更を必要としない、シンプルな構成により、表示装置が起動してから映像を表示可能になるまでの時間を短縮できる。
【０００６】
また、本発明は、上記表示装置において、前記第２プロセッサーは、前記第１プロセッサーが前記オペレーティングシステムを起動する動作と並行して、前記第１プロセッサーにより送信される前記制御データに基づき、前記光源及び前記変調装置を制御することを特徴とする。
本発明によれば、第２プロセッサーが光源及び変調装置を制御する動作を、第１プロセッサーがオペレーティングシステムを起動する間に実行できるので、表示装置が起動してから映像を表示可能になるまでの時間を、より効果的に短縮できる。
【０００７】
また、本発明は、上記表示装置において、前記第２プロセッサーは、前記第１プロセッサーが前記オペレーティングシステムを起動する動作と並行して、前記光源を発光させるための光源準備を行い、前記光源準備が完了した後に前記光源を発光させることを特徴とする。
本発明によれば、第２プロセッサーが光源を点灯させるために必要な光源準備の動作を、第１プロセッサーがオペレーティングシステムを起動する間に実行できるので、表示装置が起動してから映像を表示可能になるまでの時間を、より効果的に短縮できる。
【０００８】
また、本発明は、上記表示装置において、前記第１プロセッサーは、前記オペレーティングシステムを起動する前に、前記光源を発光させるための光源準備の指示を前記第２プロセッサーに送信し、前記第２プロセッサーは、前記第１プロセッサーが送信する指示に基づき、前記光源を発光させるための光源準備を行い、前記光源準備が完了した後に前記光源を発光させる、ことを特徴とする。
本発明によれば、第１プロセッサーが指示を送信することで、第２プロセッサーが光源を点灯させるために必要な光源準備の動作を、実行できる。このため、第１プロセッサーが第２プロセッサーを制御する構成において、表示装置が起動してから映像を表示可能になるまでの時間を、より効果的に短縮できる。
【０００９】
また、本発明は、上記表示装置において、前記光源は放電管を備えて構成され、前記第１プロセッサーには、前記第２プロセッサーが前記光源の前記放電管を点灯させる期間に一部の機能を停止する停止期間が設定され、前記停止期間と前記オペレーティングシステムを起動する処理の実行期間とが重複することを特徴とする。
本発明によれば、放電管の点灯時に第１プロセッサーの動作を停止させる必要がある場合に、第１プロセッサーの一部の動作を停止させる。そして、この動作を停止する期間が、オペレーティングシステムを起動する期間に重複するので、表示装置が起動してから映像を表示可能になるまでの時間を、より効果的に短縮できる。
【００１０】
また、本発明は、上記表示装置において、前記制御データは、画像データ、及び、前記画像データの表示設定に係る設定データを含み、前記第２プロセッサーは、前記第１プロセッサーが前記オペレーティングシステムを起動する動作と並行して、前記第１プロセッサーにより送信される前記制御データに含まれる前記画像データに基づく画像を、前記設定データの表示設定に従って表示することを特徴とする。
本発明によれば、第２プロセッサーが映像を表示するための設定を含む処理を、第１プロセッサーがオペレーティングシステムを起動する間に実行できるので、表示装置が起動してから映像を表示可能になるまでの時間を、より効果的に短縮できる。
【００１１】
また、本発明は、上記表示装置において、前記第２プロセッサーは、前記第１プロセッサーにより送信される前記制御データに含まれる前記画像データに基づく画像を、前記光源の発光を開始する前、または前記光源の発光を開始後に表示することを特徴とする。
本発明によれば、第２プロセッサーが、光源の発光を開始する前に画像を表示し、或いは、光源の発光を開始した後に画像を表示する。このため、画像を速やかに表示させることができ、或いは、光源の点灯状態が安定してから画像を表示することができる。
【００１２】
また、本発明は、上記表示装置において、前記変調装置により変調された光を遮るシャッターと、前記シャッターを駆動するシャッター駆動部と、を備え、前記第１プロセッサーは、前記シャッター駆動部を制御して前記シャッターを開放させ、前記第２プロセッサーは、前記第１プロセッサーの制御により前記シャッターが開放された後に前記光源を発光させることを特徴とする。
本発明によれば、第１プロセッサーが、シャッターを開く動作を実行するタイミングを調整することで、待ち時間を短縮し、表示装置が起動してから映像を表示可能になるまでの時間を短縮できる。
【００１３】
また、本発明は、上記表示装置において、前記第１プロセッサーは、前記オペレーティングシステムを起動する前に、前記シャッター駆動部に前記シャッターを開放させる制御を行うことを特徴とする。
本発明によれば、第１プロセッサーがオペレーティングシステムを起動する間に、シャッターを動かすことができる。このため、シャッターを開く動作が完了するまでの待ち時間、或いは、オペレーティングシステムが起動するまでの待ち時間を短縮できる。従って、表示装置が起動してから映像を表示可能になるまでの時間を、より効果的に短縮できる。
【００１４】
また、上記目的を達成するために、本発明は、光源と、前記光源からの光を変調する変調装置と、を備える表示装置の制御方法であって、オペレーティングシステムを実行し、前記表示装置の動作を制御する第１プロセッサーと、前記第１プロセッサーと並列に動作して、前記光源及び前記変調装置を制御する第２プロセッサーとを、並列して動作させ、前記第１プロセッサーにより、前記オペレーティングシステムを起動する前に、前記第２プロセッサーにより処理される制御データを記憶部から前記第２プロセッサーへ送信することを特徴とする。
本発明によれば、第２プロセッサーが、表示装置の動作を制御する第１プロセッサーのオペレーティングシステムの起動完了を待たずに、制御データに基づく処理を実行できる。このため、データを記憶する記憶部等の構成の変更を必要としない、シンプルな構成により、表示装置が起動してから映像を表示可能になるまでの時間を短縮できる。
【００１５】
本発明は、上述した表示装置、表示装置の制御方法以外の種々の形態で実現することも可能である。例えば、上記の表示装置の制御方法を実現するために上記第１プロセッサー及び／または第２プロセッサーが実行するプログラムとして、本発明を実現してもよい。また、当該プログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１６】
【図１】プロジェクターの機能ブロック図。
【図２】第１実施形態のプロジェクターの動作を示すフローチャートであり、（Ａ）は全体制御プロセッサーの動作を示し、（Ｂ）は映像出力系プロセッサーの動作を示す。
【図３】第２実施形態のプロジェクターの動作を示すフローチャートであり、（Ａ）は全体制御プロセッサーの動作を示し、（Ｂ）は映像出力系プロセッサーの動作を示す。
【図４】第３実施形態に係るプロジェクターの機能ブロック図。
【図５】第３実施形態のプロジェクターの動作を示すフローチャートであり、（Ａ）は全体制御プロセッサーの動作を示し、（Ｂ）は映像出力系プロセッサーの動作を示す。
【発明を実施するための形態】
【００１７】
［第１実施形態］
図１は、本発明を適用した第１実施形態に係るプロジェクター１の機能ブロック図である。
プロジェクター１（表示装置）は、外部接続される画像供給装置（図示略）から供給される画像データ、又は後述する不揮発性記憶部４０（記憶部）が記憶する画像データに基づく画像をスクリーンＳＣに投射（表示）する。
プロジェクター１は、静止画像データに基づきスクリーンＳＣに画像を投射してもよく、動画像（映像）データに基づき画像を表示してもよい。また、２Ｄ（平面）画像を投射してもよいし３Ｄ（立体）画像を投射してもよい。以下の説明では、プロジェクター１が投射する画像を、元の画像データの種類によらず、映像と呼ぶ。
【００１８】
プロジェクター１の設置状態は、スクリーンＳＣの前方に床置きした床置き設置としてもよいし、又は天井から吊り下げた天吊り設置としてもよい。なお、床置き設置の場合には、床に設置した台の上にプロジェクター１を置く、台置き設置としてもよい。また、投射先は、建物など、一様に平らではない物体であってもよいし、スクリーンＳＣや、建物の壁面等の平らな投射面を有するものであってもよい。本実施形態では平面のスクリーンＳＣに投射する場合を例示する。
【００１９】
プロジェクター１は、全体制御プロセッサー１０、及び、全体制御プロセッサー１０の制御に従って映像出力に係る処理を実行する映像出力系プロセッサー２０を備える。全体制御プロセッサー１０は第１プロセッサーに相当し、映像出力系プロセッサー２０は第２プロセッサーに相当する。
全体制御プロセッサー１０には、フレームメモリー１３、映像出力系プロセッサー２０、不揮発性記憶部４０、操作受付部６３及び外部機器Ｉ／Ｆ（インターフェイス）６５の各部が接続される。全体制御プロセッサー１０は、これらの各部とデータを送受信することにより、プロジェクター１の各部を制御する。映像出力系プロセッサー２０には、フレームメモリー２３、光源駆動部５１、光変調装置駆動部５２、及び投射光学系駆動部５３が接続される。映像出力系プロセッサー２０は、これらの各部とデータを送受信することにより、プロジェクター１による映像出力を行う。
【００２０】
全体制御プロセッサー１０及び映像出力系プロセッサー２０は、並列に動作することが可能である。ここで、並列に動作するとは、全体制御プロセッサー１０及び映像出力系プロセッサー２０の両方が動作することが可能なことを指す。この動作中、全体制御プロセッサー１０と映像出力系プロセッサー２０とは、互いに関連する処理を実行してもよいし、関連しない処理をそれぞれ実行してもよく、動作の内容は制限されない。また、全体制御プロセッサー１０と映像出力系プロセッサー２０とが動作を開始するタイミング、及び、動作を終了するタイミングが異なっていてもよく、これらのタイミングを同期させる必要はない。また、映像出力系プロセッサー２０及び全体制御プロセッサー１０の動作の開始と終了が同期してもよい。
【００２１】
外部機器Ｉ／Ｆ６５は、外部の画像供給装置に接続される。画像供給装置は、例えば、ビデオ再生装置、ＤＶＤ（Digital Versatile Disk）再生装置、テレビチューナー装置、ビデオゲーム装置等の映像出力装置、パーソナルコンピューター等である。
外部機器Ｉ／Ｆ６５は、ケーブルを接続するコネクター及びＩ／Ｆ回路（いずれも図示略）を備え、画像供給装置からケーブルを介して供給される所定の伝送フォーマットの画像信号を入力する。また、外部機器Ｉ／Ｆ６５は、無線通信インターフェイスを備え、画像供給装置と無線通信を実行して画像データを受信してもよい。外部機器Ｉ／Ｆ６５は、入力された画像データ、当該画像データのフォーマット情報、垂直同期信号、水平同期信号等を全体制御プロセッサー１０に出力する。
【００２２】
プロジェクター１は、ユーザーが使用するリモコン（図示略）から送信される赤外線信号を受光するリモコン受光部６１を備える。リモコン受光部６１は、操作受付部６３に接続される。操作受付部６３は、リモコン受光部６１が受光した赤外線信号をデコードして、リモコンの操作内容を示す操作データを生成し、全体制御プロセッサー１０に出力する。
プロジェクター１は、各種の操作キーやスイッチを有する操作パネル６２を備え、操作パネル６２は操作受付部６３に接続される。操作受付部６３は、操作パネル６２に表示された操作キーが操作されると、操作されたキーに対応した操作データを全体制御プロセッサー１０に出力する。
【００２３】
本実施形態で、リモコン（図示略）、及び、操作パネル６２の少なくともいずれかは、プロジェクター１の電源のオン及びオフを指示する操作子である電源スイッチ（図示略）を備える。操作受付部６３は、プロジェクター１の停止状態すなわち電源オフの状態で、電源スイッチの操作を検出した場合、電源オンの操作を受け付けたことを示す制御データを、全体制御プロセッサー１０に対して割り込み入力する。
また、操作パネル６２は、プロジェクター１の動作状態を示すインジケーターランプ（図示略）を備えてもよい。この場合、操作受付部６３は、全体制御プロセッサー１０の制御に従って、操作パネル６２のインジケーターランプを点灯または点滅させる。
【００２４】
プロジェクター１は、光学的な画像の形成を行い、スクリーンＳＣに画像を投射（表示）する表示部３０を備える。表示部３０は、光源部３１（光源）、光変調装置３２(変調装置)、及び、投射光学系３３を備える。
【００２５】
光源部３１は、キセノンランプや超高圧水銀ランプ等の放電管光源、或いは、ＬＥＤ（Light Emitting Diode）又はレーザー光源等の固体光源を備える。光源部３１は、光源が発した光を光変調装置３２に導くリフレクター及び補助リフレクターを備えていてもよい。さらに、光源部３１は、投射光の光学特性を高めるためのレンズ群、偏光板、又は光源が発した光の光量を光変調装置３２に至る経路上で低減させる調光素子等（いずれも図示略）を備えていてもよい。
【００２６】
光源部３１は、光源駆動部５１により駆動される。光源部３１が放電管光源を備える構成である場合、光源駆動部５１は、例えば、光源を点灯させるイグナイター、及び、光源の点灯後に電流を供給する制御回路を備える。
この場合、光源駆動部５１が光源部３１の光源を点灯させる動作は、大別して次の（１）〜（３）のステップで実行される。（１）イグナイターにより高電圧を発生して、発生する高電圧をランプ端子間に重畳して絶縁破壊を発生させ、放電路を形成する。（２）ランプ端子に突入電流を流し、アーク放電に移行させる。（３）ランプへの電流供給を安定点灯状態に移行させ、アーク放電を安定して維持する。ステップ（１）〜（３）の光源駆動部５１の動作、及び、光源部３１が点灯した後の光源部３１に対する電力供給は、映像出力系プロセッサー２０により制御される。
【００２７】
光源部３１が固体光源を備えて構成される場合、光源駆動部５１は、例えば、固体光源に対し駆動電流を出力する電流回路、及び、固体光源に出力するパルス電流の周波数やオン／オフ期間の比（オンデューティ）を制御するＰＷＭ制御回路を有する。この場合、光源駆動部５１は、映像出力系プロセッサー２０の制御によりＰＷＭ制御を開始し、光源部３１に出力するパルス電流の周波数及びオンデューティを設定し、パルス電流を光源部３１の光源に供給する。光源駆動部５１が出力するパルス電流の周波数及びオンデューティ、パルス電流の出力開始及び停止は、映像出力系プロセッサー２０により制御される。
【００２８】
光源部３１は、空冷ファン（図示略）を備える。光源部３１の空冷ファンは放電管光源または固体光源を冷却する。また、光源に電力を供給する回路部を冷却する空冷ファンを設けてもよい。また、光源部３１は、空冷ファンで冷却される光源や回路部の温度を検出する温度センサーを備えてもよい。
【００２９】
光変調装置３２は、光源部３１が発する光を変調して画像光を生成し、画像光を投射光学系３３に出力する。光変調装置３２は、例えばＲＧＢの三原色に対応した３枚の透過型液晶パネル、或いは、３枚の反射型液晶パネルで構成される。この場合、光源部３１が発する光はＲＧＢの３色の色光に分離され、対応する液晶パネルに入射される。３枚の液晶パネルのそれぞれには、光変調装置駆動部５２によって画像が描画され、これら液晶パネルにより画像光が生成される。各液晶パネルで変調された画像光は、クロスダイクロイックプリズム等の合成光学系によって合成され、投射光学系３３に射出される。
【００３０】
また、光変調装置３２は、光源部３１が発する光をＤＭＤ（Digital Mirror Device）により変調する構成とすることもできる。例えば、光変調装置３２は、光源部３１が発する光をＲＧＢの三原色の光に変換するカラーフィルターを有するカラーホイール、カラーホイールを透過した光を変調するＤＭＤ、及び、カラーホイールとＤＭＤに光を導く光学系を備える。光変調装置駆動部５２は、カラーホイールの回転に同期して、ＤＭＤに画像を描画する。光源部３１が発した光はカラーホイールを透過して原色の色光となり、ＤＭＤで変調されて投射光学系３３に導かれる。
【００３１】
投射光学系３３は、光変調装置３２により変調された画像光をスクリーンＳＣ方向に投射して、スクリーンＳＣ上に結像させるレンズ群を備える。投射光学系３３は、スクリーンＳＣの投射画像の拡大・縮小及び焦点の調整を行うズーム機構（図示略）、フォーカスの調整を行うフォーカス機構（図示略）、スクリーンＳＣに投射する画像光の絞り調整を行う絞り調整機構（図示略）を備える。ズーム機構、フォーカス機構、及び絞り調整機構はユーザーが手動で動かす構成であってもよい。本実施形態では、投射光学系３３が、ズーム機構、フォーカス機構、及び絞り調整機構を駆動するモーター（図示略）を備える。この構成で、投射光学系３３は、モーターの回転位置を検出するロータリーエンコーダー（図示略）を備えてもよい。投射光学系駆動部５３は、全体制御プロセッサー１０の制御に従って、投射光学系３３が備えるモーターを動作させ、ズーム機構、フォーカス機構、及び絞り調整機構を所定の状態に調整する。
【００３２】
不揮発性記憶部４０は、フラッシュメモリー等の半導体記憶素子や磁気的記憶媒体等を備え、プログラムやデータを不揮発的に記憶する。不揮発性記憶部４０は、全体制御プロセッサー１０及び映像出力系プロセッサー２０を動作させるプログラムや、全体制御プロセッサー１０及び映像出力系プロセッサー２０で処理される各種データを記憶する。例えば、不揮発性記憶部４０は、全体制御プロセッサー１０が実行する制御プログラムであるＯＳ（Operating System：オペレーティングシステム）４１を記憶する。また、不揮発性記憶部４０は、ＯＳ４１上で動作するプログラム４２、及び、映像出力系プロセッサー２０が実行する制御に関するパラメーター４３（制御データ）を記憶する。また、不揮発性記憶部４０は、全体制御プロセッサー１０の制御により、プロジェクター１がスクリーンＳＣに投射する画像の画像データを記憶してもよい。また、不揮発性記憶部４０は、プロジェクター１の電源がオンにされて起動したときに表示部３０が表示する起動ロゴ画像の画像データを記憶する。
【００３３】
全体制御プロセッサー１０は、図示しないＣＰＵ（Central Processing Unit）により演算処理を実行する。全体制御プロセッサー１０は、ＣＰＵが実行する制御プログラムを記憶する不揮発性のＲＯＭ（Read Only Memory）１１、及び、ＣＰＵが処理するデータを一時的に記憶するメモリー１２を備える。
【００３４】
全体制御プロセッサー１０は、ＲＯＭ１１が記憶する基本制御プログラムを実行する。この基本制御プログラムは、例えば、プロジェクター１の電源オン時に全体制御プロセッサー１０のＣＰＵが読み出して実行し、全体制御プロセッサー１０の初期化、及び、全体制御プロセッサー１０にＯＳ４１を実行させるブートローダーである。全体制御プロセッサー１０は、ＲＯＭ１１内の基本制御プログラムを実行し、この基本制御プログラムの機能により不揮発性記憶部４０のＯＳ４１をロードし、メモリー１２に展開して実行する。そして、全体制御プロセッサー１０は、ＯＳ４１の起動が終了した後、例えばＯＳ４１の機能を利用するプログラム４２を実行して、プロジェクター１の各部を制御する。
【００３５】
例えば、全体制御プロセッサー１０は、ＯＳ４１の起動後に、外部機器Ｉ／Ｆ６５から入力される画像データを映像出力系プロセッサー２０に出力して、この画像データに基づく画像を表示部３０により表示させる。
また、例えば、全体制御プロセッサー１０は、光源部３１が備える温度センサーの検出値に基づき、空冷ファンの回転をオン／オフさせる制御を行い、空冷ファンの回転状態を検出する。また、全体制御プロセッサー１０は、投射光学系駆動部５３が備えるモーターの制御等を行い、当該モーターの動作状態を検出する。
また、全体制御プロセッサー１０は、操作受付部６３から入力されるデータに基づき、リモコン受光部６１または操作パネル６２における操作を検出する。全体制御プロセッサー１０は、これらの操作に応じてメニュー画面を表示する。具体的には、全体制御プロセッサー１０は、メニュー画像やメッセージ画像等のＯＳＤ（オンスクリーンディスプレイ）画像を、表示中の画像データに重畳する処理を実行する。
【００３６】
また、例えば、全体制御プロセッサー１０は、表示部３０により表示する画像データに対し、光変調装置３２の液晶パネルまたはＤＭＤの各画素の階調を表す画像情報、即ち各画素に印加する駆動電圧を規定する画像情報に変換する処理を行う。ここで処理された画像情報はフレームメモリー１３に展開される。全体制御プロセッサー１０は、フレームメモリー１３に展開した画像情報に対して、明るさ、コントラスト、シャープネス、色合い等の画質を調整するための画質調整処理等を行う。画像調整処理等が行われた画像情報は、映像出力系プロセッサー２０に出力される。
【００３７】
また、全体制御プロセッサー１０は、不揮発性記憶部４０が記憶するパラメーター４３を、映像出力系プロセッサー２０に出力（転送、送信）する。パラメーター４３は、映像出力系プロセッサー２０が画像を表示部３０により表示させる処理において、映像出力系プロセッサー２０が使用する設定データである。
パラメーター４３は、例えば、プロジェクター１が電源オン操作に応じて起動するときの初期画像表示（「ロゴ画像表示」ともいう）のオン・オフ設定情報を含む。またパラメーター４３は、プロジェクター１の設置状態情報（背面投写、上下反転、左右反転等）を含んでもよい。またパラメーター４３は、スクリーンＳＣの投射画像の台形歪み補正を行う場合の補正パラメーターを含んでもよい。またパラメーター４３は、光源部３１の光源の輝度値を設定するパラメーターや、光源部３１が複数のレーザー光源を備える場合には、光源部３１が備える複数のレーザー光源のうち点灯させるレーザー光源の本数を示すレーザー光源点灯本数情報を含んでもよい。またパラメーター４３は、光源部３１が備える光源のうち光源駆動部５１が駆動する光源の種別を示す駆動対象光源種別情報を含んでもよい。またパラメーター４３は、光源部３１の光源を点灯させる際に光源駆動部５１が出力する電流値を指定する電流値情報を含んでもよい。またパラメーター４３は、光源部３１が複数の光源を備える場合に各光源の出力バランスを調整するための光源バランス調整値情報を含んでもよい。またパラメーター４３は、光変調装置３２の液晶パネルまたはＤＭＤの特性に合わせた画質調整用のパラメーターである画質調整値情報を含んでもよい。またパラメーター４３は、光変調装置３２の液晶パネルまたはＤＭＤの組立時において生じるアライメント誤差を補正するための画素ずれ補正値情報を含んでもよい。またパラメーター４３は、液晶パネルまたはＤＭＤの色ムラを補正するためのパラメーターである色むら補正値情報等を含んでもよい。
【００３８】
全体制御プロセッサー１０は、パラメーター４３の一部または全部を映像出力系プロセッサー２０に送信する。全体制御プロセッサー１０がパラメーター４３を送信するタイミングについては後述する。
【００３９】
映像出力系プロセッサー２０は、図示しないＣＰＵにより演算処理を実行する。映像出力系プロセッサー２０は、ＣＰＵが実行する制御プログラムを記憶する不揮発性のＲＯＭ２１、及び、ＣＰＵが処理するデータを一時的に記憶するメモリー２２を備える。
全体制御プロセッサー１０が映像出力系プロセッサー２０のリセットを解除すると、映像出力系プロセッサー２０は、ＲＯＭ２１が記憶する制御プログラムを実行する。この制御プログラムは、映像出力系プロセッサー２０を初期化し、光源駆動部５１及び光変調装置駆動部５２の制御等を実行するためのプログラムである。
【００４０】
映像出力系プロセッサー２０は、全体制御プロセッサー１０から入力される画像情報を、フレームメモリー２３に展開する。映像出力系プロセッサー２０は、画像情報に対して、スケーリング処理や台形歪補正処理、色補正処理等を行う。さらに、映像出力系プロセッサー２０は、光源駆動部５１の制御、投射光学系駆動部５３の制御等を行う。
【００４１】
不揮発性記憶部４０が記憶するパラメーター４３を全体制御プロセッサー１０が映像出力系プロセッサー２０に送信した場合、映像出力系プロセッサー２０は、転送されるパラメーターに従って動作する。
映像出力系プロセッサー２０は、例えば、初期画像表示のオン・オフ設定情報の内容が表示オンである場合、プロジェクター１の起動時に、表示部３０によりロゴを表示させる。また、映像出力系プロセッサー２０は、プロジェクター１の設置状態情報（背面投写、上下反転、左右反転等）に基づき、光変調装置駆動部５２によって光変調装置３２に描画する画像の上下反転、左右反転の要否を設定する。
また、映像出力系プロセッサー２０は、台形歪み補正の補正パラメーターに基づき、フレームメモリー２３に展開した画像の台形歪み補正を行う。また、映像出力系プロセッサー２０は、光源部３１の光源の輝度値を設定するパラメーター、レーザー光源点灯本数情報、駆動対象光源種別情報、電流値情報、光源バランス調整値情報等のパラメーターに基づき、光源駆動部５１を制御する。これにより、光源部３１は、パラメーターの通りの動作条件で点灯する。
【００４２】
また、映像出力系プロセッサー２０は、画質調整値情報、画素ずれ補正値情報、色むら補正値情報等に基づいて、フレームメモリー２３に展開した画像情報の補正を行い、光変調装置駆動部５２を制御し、パラメーターの通りに画像を光変調装置３２に描画する。
【００４３】
全体制御プロセッサー１０及び映像出力系プロセッサー２０は、ＣＰＵ、ＲＯＭ１１、２１及びメモリー１２、２２が統合されたマイコンやＳｏＣ（System On Chip）で構成されてもよい。また、全体制御プロセッサー１０がＣＰＵで構成され、ＲＯＭ１１及びメモリー１２が全体制御プロセッサー１０に外部接続される構成であってもよい。また、映像出力系プロセッサー２０がＣＰＵで構成され、ＲＯＭ２１及びメモリー２２が映像出力系プロセッサー２０に外部接続される構成であってもよい。
【００４４】
図２は、プロジェクター１の動作を示すフローチャートであり、プロジェクター１の電源オンの操作に応じて実行される、電源オンシーケンスを示す。図２（Ａ）は全体制御プロセッサー１０の動作を示し、図２（Ｂ）は映像出力系プロセッサー２０の動作を示す。
操作パネル６２の電源スイッチをオンする操作が行われると、全体制御プロセッサー１０が起動して、ＲＯＭ１１に記憶されたブートプログラムを実行し、このプログラムの機能によって映像出力系プロセッサー２０のリセットを解除する（ステップＳ１０１）。
【００４５】
映像出力系プロセッサー２０は、リセットが解除されると起動し（ステップＳ２０１）、ＲＯＭ２１に記憶された制御プログラムを実行し、全体制御プロセッサー１０から入力される指示データを待機する。
全体制御プロセッサー１０は、映像出力系プロセッサー２０に対して、光源点灯準備の指示を送信する（ステップＳ１０２）。映像出力系プロセッサー２０は、全体制御プロセッサー１０が送信する光源点灯準備の指示を受信し（ステップＳ２０２）、光源部３１の光源を点灯させるための処理である光源点灯準備（光源準備）を実行する（ステップＳ２０３）。光源点灯準備は、具体的には、光源駆動部５１が備える回路を、光源点灯時の電流値および光源バランス調整値に基づいて駆動するための処理である。
【００４６】
続いて、全体制御プロセッサー１０は、不揮発性記憶部４０に記憶されたパラメーター４３を読み出して、映像出力系プロセッサー２０に転送する（ステップＳ１０３）。すなわち、全体制御プロセッサー１０は、パラメーター４３をメモリー１２にコピーし、このパラメーター４３をメモリー１２から映像出力系プロセッサー２０に出力する。映像出力系プロセッサー２０は、全体制御プロセッサー１０が送信するパラメーター４３を取得して、メモリー２２に記憶する（ステップＳ２０４）。
また、全体制御プロセッサー１０は、ステップＳ１０３において、不揮発性記憶部４０から取得したパラメーター４３に加えて、初期画像として表示されるロゴの画像データを映像出力系プロセッサー２０に送信する。映像出力系プロセッサー２０は、ステップＳ２０４でパラメーターとともにロゴの画像データを取得する。
【００４７】
映像出力系プロセッサー２０は、取得したパラメーターに従って光源駆動部５１、光変調装置駆動部５２及び投射光学系駆動部５３を制御し、映像を表示出力するための各種設定を実行する（ステップＳ２０５）。ステップＳ２０５で実行される設定は、例えば、初期画像表示がオンである場合に、初期画像データ（ロゴ画像データ）をフレームメモリー２３に書き込む処理を含む。また、映像出力系プロセッサー２０は、初期画像データに基づく画像をフレームメモリー２３に展開、描画する。そして、フレームメモリー２３に展開した画像に対し、設置状態情報、台形歪み補正情報、画素ずれ補正値情報、色むら補正値情報等に基づいて、変換や補正を行う。また、映像出力系プロセッサー２０は、取得したパラメーターに従って、フレームメモリー２３に展開した画像の台形歪み補正の補正パラメーターの設定、光源駆動部５１の動作に係る設定、フレームメモリー２３に展開した画像情報の補正を行ってもよい。
【００４８】
映像出力系プロセッサー２０は、ステップＳ２０４で取得したロゴの画像データに基づく画像を表示部３０により表示させる（ステップＳ２０６）。ステップＳ２０６で、映像出力系プロセッサー２０は、ロゴの画像データをフレームメモリー２３に展開し、フレームメモリー２３の画像に基づき光源駆動部５１及び光変調装置駆動部５２を駆動する。ここで、映像出力系プロセッサー２０がフレームメモリー２３に展開する画像は、映像出力系プロセッサー２０が取得したパラメーターに従って変換及び補正される。
【００４９】
さらに、映像出力系プロセッサー２０は、ステップＳ２０３で開始した光源点灯準備が完了し、光源部３１の光源を点灯可能になったか否かを判別する（ステップＳ２０７）。映像出力系プロセッサー２０は、光源の点灯が可能になっていない間は（ステップＳ２０７；Ｎｏ）、待機する。点灯が可能になると（ステップＳ２０７；Ｙｅｓ）、映像出力系プロセッサー２０は、光源部３１の光源を点灯させる（ステップＳ２０８）。
【００５０】
一方、全体制御プロセッサー１０は、ステップＳ１０３でパラメーターを映像出力系プロセッサー２０に転送した後、不揮発性記憶部４０に記憶されたＯＳ４１をロードしてメモリー１２に展開し、ブートする（ステップＳ１０４）。
ＯＳ４１が起動した後、全体制御プロセッサー１０は、全体制御プロセッサー１０の制御対象となる各部のドライバープログラムを初期化し（ステップＳ１０５）、周辺回路の電源の制御を行う（ステップＳ１０６）。
全体制御プロセッサー１０は、光源部３１が点灯した状態であるか否かを判定する（ステップＳ１０７）。全体制御プロセッサー１０は、光源部３１が点灯していない場合（ステップＳ１０７；Ｎｏ）、映像出力系プロセッサー２０により光源部３１が点灯されるまで待機する。光源部３１が点灯している場合（ステップＳ１０７；Ｙｅｓ）、全体制御プロセッサー１０は、通常投写状態に遷移し（ステップＳ１０８）、起動処理を終了する。ここで、通常投写状態とは、画像信号に基づいた画像を投写する状態である。
【００５１】
図２（Ｂ）のフローチャートでは、ステップＳ２０６でロゴの画像を表示してから、ステップＳ２０８で光源部３１を点灯させる。この場合、スクリーンＳＣへの画像光の投射が開始される時点でロゴを表示できるので、速やかにロゴを表示できるという利点がある。
ここで、映像出力系プロセッサー２０は、ステップＳ２０７及びＳ２０８の動作を実行し、光源部３１を点灯させてから、ステップＳ２０６のロゴの表示を実行してもよい。この場合、ロゴの画像の表示開始時から、画像を明瞭に表示できる。
【００５２】
また、映像出力系プロセッサー２０が全体制御プロセッサー１０から取得するパラメーターは、図２（Ｂ）に示す起動処理に限らず使用される。すなわち、図２（Ａ）及び図２（Ｂ）の起動処理を実行後、プロジェクター１が通常動作状態に移行した後も、映像出力系プロセッサー２０は、ステップＳ２０４で取得したパラメーターに従って表示部３０により投射する。例えば、映像出力系プロセッサー２０は、上述した設置状態情報、台形歪み補正情報、画素ずれ補正値情報、色むら補正値情報等に基づく処理を、通常動作状態でも実行する。
【００５３】
以上、説明したように、本発明を適用したプロジェクター１は、光源部３１と、光源部３１からの光を変調する光変調装置３２とを備える。プロジェクター１は、ＯＳ４１を実行し、プロジェクター１の動作を制御する全体制御プロセッサー１０と、全体制御プロセッサー１０と並列に動作して、光源部３１及び光変調装置３２を制御する映像出力系プロセッサー２０とを備える。また、映像出力系プロセッサー２０により処理されるパラメーター４３を記憶する不揮発性記憶部４０を備える。全体制御プロセッサー１０は、ＯＳ４１を起動（ブート）する前に、不揮発性記憶部４０に記憶されたパラメーター４３を映像出力系プロセッサー２０へ送信する。
このプロジェクター１の構成、及び、プロジェクター１の制御方法によれば、全体制御プロセッサー１０のＯＳ４１の起動完了を待たずに、映像出力系プロセッサー２０が、パラメーター４３に基づく処理を実行できる。これにより、操作受付部６３が電源オンの操作を受け付けて、プロジェクター１が起動してから、映像を表示可能になるまでの時間を短縮できる。また、本発明は、例えば映像出力系プロセッサー２０が直接不揮発性記憶部４０のパラメーター４３を参照できるようにする等の構成の変更を必要としない、シンプルな構成によって実現できる。
【００５４】
また、映像出力系プロセッサー２０は、全体制御プロセッサー１０がＯＳ４１を起動する動作と並行して、全体制御プロセッサー１０により送信されるパラメーターに基づき、光源部３１及び光変調装置３２を制御する。従って、映像出力系プロセッサー２０が光源駆動部５１及び光変調装置駆動部５２を制御する動作を、全体制御プロセッサー１０がＯＳ４１を起動する間に実行できる。このため、例えば、全体制御プロセッサー１０がＯＳ４１を起動した後に、映像出力系プロセッサー２０がロゴの表示のための処理を実行する場合に比べ、短い時間で、プロジェクター１が起動してから映像を表示可能になる。
【００５５】
ここで、映像出力系プロセッサー２０が、全体制御プロセッサー１０がＯＳ４１を起動する動作と並行して制御を行う構成では、全体制御プロセッサー１０及び映像出力系プロセッサー２０の動作を同期させることまでは限定されない。詳細には、全体制御プロセッサー１０がＯＳ４１を起動する処理を行う間に、映像出力系プロセッサー２０が、光源部３１及び光変調装置３２を制御するための処理を実行することを指す。従って、全体制御プロセッサー１０と映像出力系プロセッサー２０とが動作を開始するタイミング、及び、動作を終了するタイミングが異なっていてもよく、これらのタイミングを同期させる必要はない。また、映像出力系プロセッサー２０及び全体制御プロセッサー１０の動作の開始と終了が同期してもよい。
また、映像出力系プロセッサー２０が、全体制御プロセッサー１０がＯＳ４１を起動する動作と並行して、光源部３１を点灯させるための光源点灯準備を行う場合も同様である。この場合、全体制御プロセッサー１０がＯＳ４１を起動する処理を行う間に、映像出力系プロセッサー２０が、光源点灯準備に関する処理を実行することを指し、動作の開始、終了のタイミングを同期させることまで限定されない。
また、映像出力系プロセッサー２０が、全体制御プロセッサー１０がＯＳ４１を起動する動作と並行して、全体制御プロセッサー１０により送信される制御データに含まれる画像データに基づく画像を、設定データの表示設定に従って表示する場合も同様である。この場合、全体制御プロセッサー１０がＯＳ４１を起動する処理を行う間に、映像出力系プロセッサー２０が、画像データに基づく画像を設定データの表示設定に従って表示するための処理を実行することを指す。全体制御プロセッサー１０と映像出力系プロセッサー２０の動作の開始、終了のタイミングを同期させることまで限定されない。
【００５６】
映像出力系プロセッサー２０は、全体制御プロセッサー１０がＯＳ４１を起動する動作と並行して、光源部３１を点灯させるための光源点灯準備を行い、光源点灯準備が完了した後に光源部３１の光源を点灯して発光させる。従って、映像出力系プロセッサー２０が光源部３１を点灯させるために必要な光源点灯準備の動作を、全体制御プロセッサー１０がＯＳ４１を起動する間に実行できる。このため、プロジェクター１が起動してから映像を表示可能になるまでの時間を、より効果的に短縮できる。
【００５７】
また、全体制御プロセッサー１０は、ＯＳ４１を起動する前に、光源部３１を点灯させるための光源点灯準備の指示を映像出力系プロセッサー２０に送信する。映像出力系プロセッサー２０は、全体制御プロセッサー１０が送信する指示に基づき、光源部３１を点灯させるための光源点灯準備を行い、光源点灯準備が完了した後に光源部３１を点灯させる。従って、全体制御プロセッサー１０の制御に従って、映像出力系プロセッサー２０が光源部３１を点灯させるために必要な光源点灯準備の動作を実行できる。このため、全体制御プロセッサー１０が映像出力系プロセッサー２０を制御する構成において、プロジェクター１が起動してから映像を表示可能になるまでの時間を、より効果的に短縮できる。
【００５８】
また、全体制御プロセッサー１０が映像出力系プロセッサー２０に転送するパラメーターは、画像データ、及び、画像データの表示設定に係る設定データを含む。映像出力系プロセッサー２０は、全体制御プロセッサー１０がＯＳ４１を起動する動作と並行して、全体制御プロセッサー１０により送信される制御データに含まれる画像データに基づく画像を、設定データの表示設定に従って表示する。従って、映像出力系プロセッサー２０が映像を表示するための設定を含む処理を、全体制御プロセッサー１０がＯＳ４１を起動する間に実行できるので、プロジェクター１が起動してから映像を表示可能になるまでの時間を、より効果的に短縮できる。
【００５９】
また、映像出力系プロセッサー２０は、全体制御プロセッサー１０により送信される制御データに含まれる画像データに基づく画像を、光源部３１の点灯を開始する前、または光源部３１の点灯を開始後に表示する。映像出力系プロセッサー２０が、光源部３１の点灯を開始する前に画像を表示し、或いは、光源部３１の点灯を開始した後に画像を表示する。このため、画像を速やかに表示させることができ、或いは、光源部３１の点灯状態が安定してから画像を表示することができる。
【００６０】
［第２実施形態］
図３は、第２実施形態に係るプロジェクター１の動作を示すフローチャートであり、（Ａ）は全体制御プロセッサー１０の動作を示し、（Ｂ）は映像出力系プロセッサー２０の動作を示す。
本第２実施形態は、上述したプロジェクター１において、光源部３１がキセノンランプや超高圧水銀ランプ等の放電管光源を備える構成とした場合の動作例を示す。第２実施形態におけるプロジェクター１の構成は、上述した第１実施形態と共通であるため、プロジェクター１の構成については同符号を引用することにより、図示及び説明を省略する。また、図３（Ａ）及び図３（Ｂ）に示すフローチャートにおいて、図２（Ａ）、図２（Ｂ）と共通する処理には、同ステップ番号を付して説明を省略する。
【００６１】
第２実施形態では、光源部３１が放電管光源を備え、光源駆動部５１は、放電管光源を点灯させるイグナイター、及び、光源の点灯後に電流を供給する制御回路を備える。光源部３１が消灯した状態で放電管光源を点灯させる場合、上述したように、イグナイターにより高電圧を発生してランプ端子間に高電圧を重畳して絶縁破壊を発生させるステップと、ランプ端子に突入電流を流し、アーク放電に移行させるステップとを実行する。これらのステップ（上記のステップ（１）、（２））では、光源部３１の放電管光源、及び、光源駆動部５１の回路からノイズが発生する可能性がある。そこで、ノイズの影響を回避するため、全体制御プロセッサー１０は、映像出力系プロセッサー２０が上記のステップ（１）及び（２）の動作を実行する期間に、全体制御プロセッサー１０に接続される各部とのデータの入出力を停止するよう設定される。この期間を停止期間とする。停止期間において、全体制御プロセッサー１０は、ＲＯＭ１１及びメモリー１２に書き込まれたデータを処理することは可能である。一方で、停止期間において、全体制御プロセッサー１０は、例えば、不揮発性記憶部４０、外部機器Ｉ／Ｆ６５、操作受付部６３、映像出力系プロセッサー２０等とのデータの送受信を停止する。
【００６２】
すなわち、映像出力系プロセッサー２０は、点灯が可能になったと判定した場合（ステップＳ２０７；Ｙｅｓ）、全体制御プロセッサー１０の禁止期間の開始を設定する（ステップＳ２１１）。この禁止期間は全体制御プロセッサー１０による外部とのデータ通信を禁止する期間であり、上述した停止期間に相当する。その後、全体制御プロセッサー１０は、光源駆動部５１によって、ランプ端子間に高電圧を重畳して絶縁破壊を発生させるステップと、ランプ端子に突入電流を流し、アーク放電に移行させるステップとを実行させ、光源を点灯させる（ステップＳ２０８）。光源が安定点灯状態に移行した後、映像出力系プロセッサー２０は、全体制御プロセッサー１０に対する禁止期間の設定を解除し（ステップＳ２１２）、本処理を終了する。
【００６３】
全体制御プロセッサー１０は、不揮発性記憶部４０に記憶されたＯＳ４１をブートした後で、禁止期間が設定されているか否かを判定する（ステップＳ１１１）。禁止期間が設定されている間（ステップＳ１１１；Ｙｅｓ）、全体制御プロセッサー１０は待機する。そして、禁止期間が解除されると、全体制御プロセッサー１０は、制御対象となる各部のドライバープログラムを初期化し（ステップＳ１０５）、周辺回路の電源の制御を行う（ステップＳ１０６）。
【００６４】
第２実施形態では、全体制御プロセッサー１０が、禁止期間が設定されている間は、外部とのデータの送受信を伴う処理を停止するため、例えば、ステップＳ１０５及びＳ１０６の動作を実行できず、待機する必要がある。しかしながら、図３（Ａ）に示したように，全体制御プロセッサー１０が禁止期間において待機するタイミングは、ステップＳ１０４でＯＳ４１のブートを開始した後である。
【００６５】
つまり、全体制御プロセッサー１０が、ＯＳ４１をブートする前に、光源点灯準備を指示し（ステップＳ１０２）、映像出力系プロセッサー２０に対してパラメーターを転送する（ステップＳ１０３）。映像出力系プロセッサー２０は、光源点灯準備が完了した場合に、光源を点灯させることができる（ステップＳ２０８）。従って、映像出力系プロセッサー２０は、全体制御プロセッサー１０のＯＳ４１のブートが完了する前に、光源部３１の放電管光源を点灯させる。このため、映像出力系プロセッサー２０が禁止期間を設定した時点において、全体制御プロセッサー１０は、ＯＳ４１のブートを開始しているが、ブートを完了しているとは限らず、ＯＳ４１をブートする処理を行う期間と禁止期間とが重複する可能性がある。プロジェクター１のＯＳ４１の規模が大きい場合には、ブートに要する時間が長いため、ＯＳ４１をブートする処理を行う期間と禁止期間とが重複する可能性は特に高い。
【００６６】
このように、第２実施形態では、光源部３１が放電管を備えて構成され、全体制御プロセッサー１０には、映像出力系プロセッサー２０が光源部３１の放電管を点灯させる期間に、少なくとも一部の機能を停止する禁止期間（停止期間）が設定される。そして、全体制御プロセッサー１０は禁止期間にＯＳ４１をブートする処理を実行している可能性が高く、禁止期間であっても必要な処理を実行できる。つまり、禁止期間と、全体制御プロセッサー１０がＯＳ４１を起動する処理の実行期間とが重複し、禁止期間において、外部とのデータ送受信を伴わない処理を実行するので、待機時間の無駄を生じにくい。映像出力系プロセッサー２０は、全体制御プロセッサー１０のＯＳ４１のブートの完了を待たずに、ステップＳ２０５における設定を行い、ロゴの表示を行い、光源部３１の光源を点灯させることができる。従って、全体制御プロセッサー１０及び映像出力系プロセッサー２０は、いずれも、他方の動作の完了を待たずに、プロジェクター１の起動に必要な動作を実行できる。このため、プロジェクター１が起動してから映像を表示可能になるまでの時間を、より効果的に短縮できる。
【００６７】
［第３実施形態］
図４は、本発明を適用した第３実施形態に係るプロジェクター１Ａ（表示装置）の機能ブロック図である。
第３実施形態のプロジェクター１Ａは、プロジェクター１（図１）が備える投射光学系３３を、シャッター３４を有する投射光学系３３Ａに置き換えた構成である。その他の構成については上述した第１実施形態と共通であるため、プロジェクター１の構成については同符号を引用することにより、図示及び説明を省略する。
また、図５は、プロジェクター１Ａの動作を示すフローチャートであり、（Ａ）は全体制御プロセッサー１０の動作を示し、（Ｂ）は映像出力系プロセッサー２０の動作を示す。図５（Ａ）及び図５（Ｂ）に示すフローチャートにおいて、図２（Ａ）、図２（Ｂ）と共通する処理には、同ステップ番号を付して説明を省略する。
【００６８】
プロジェクター１Ａは表示部３０Ａを備える。表示部３０Ａは、表示部３０（図１）において投射光学系３３を投射光学系３３Ａに置き換えた構成である。投射光学系３３Ａは、スクリーンＳＣに向けて投射する画像光を遮光するシャッター３４を有する。シャッター３４の位置は任意であり、プロジェクター１の筐体において投射光学系３３Ａのレンズ群よりもスクリーンＳＣ側に設けてもよい。或いは、投射光学系３３Ａのレンズ群と光変調装置３２との間に設けてもよい。シャッター３４は、投射光学系駆動部５３が備えるモーター（図示略）により開閉可能である。投射光学系駆動部５３は、全体制御プロセッサー１０により制御される。この場合、投射光学系駆動部５３は、シャッター駆動部に相当する。
【００６９】
シャッター３４は、画像光をほぼ遮らない開位置と、画像光をほぼ遮る閉位置とに移動できる。シャッター３４が、開位置と閉位置との間の位置で停止することは、通常の使用の範囲では想定されない。ここで、投射光学系駆動部５３がシャッター３４を閉位置から開位置に移動させる動作を開動作と呼ぶ。
【００７０】
プロジェクター１Ａにおいて、シャッター３４が閉位置にある場合に、光源部３１が点灯すると、時間の経過とともに、表示部３０が高温となり、通常の使用温度範囲の上限に達する可能性がある。このような場合、全体制御プロセッサー１０または映像出力系プロセッサー２０の制御により、光源部３１を強制的に消灯させて装置の保護が図られる。光源部３１が強制的に消灯された後は、通常、温度が低下するまで点灯可能にならないことから、プロジェクター１の通常動作を止めなければならず、不便である。このため、プロジェクター１Ａは、電源オンの操作が行われた場合に、シャッター３４が閉位置にある間は、シャッター３４の開動作を実行し、開動作が完了するまで光源部３１を点灯させないよう制御する。
【００７１】
全体制御プロセッサー１０は、映像出力系プロセッサー２０のリセットを解除し（ステップＳ１０１）、その後、投射光学系駆動部５３のモーターを駆動させて、シャッター３４の開動作を開始する（ステップＳ１２１）。シャッター３４の開動作には時間がかかるので、全体制御プロセッサー１０は、開動作を開始した後、開動作の完了を待たずに、映像出力系プロセッサー２０に対して光源点灯準備の指示を送信する（ステップＳ１０２）。
また、全体制御プロセッサー１０は、第１実施形態で説明したステップＳ１０３〜Ｓ１０４の動作を実行する。
【００７２】
一方、映像出力系プロセッサー２０は、第１実施形態で説明したステップＳ２０１〜Ｓ２０７の動作を実行する。映像出力系プロセッサー２０は、光源点灯準備が完了して光源部３１の点灯が可能になったと判定した場合（ステップＳ２０７；Ｙｅｓ）、全体制御プロセッサー１０から光源点灯の指示を受信するまで待機する（ステップＳ２２１）。
全体制御プロセッサー１０は、ステップＳ１０２で、映像出力系プロセッサー２０に対して光源点灯準備を指示するが、本第３実施形態の映像出力系プロセッサー２０は、光源点灯準備が完了しても光源部３１を点灯させない。この構成を実現するため、ステップＳ１０２で、全体制御プロセッサー１０は、光源点灯準備の指示とともに、光源部３１を点灯せず待機するように指示するコマンドを、映像出力系プロセッサー２０に送信してもよい。或いは、映像出力系プロセッサー２０が実行する制御プログラムにおいて、光源点灯準備が完了した後、光源点灯の指示を待機するよう設定してもよい。
【００７３】
全体制御プロセッサー１０は、ＯＳ４１が起動した後、全体制御プロセッサー１０は、シャッター３４の位置を検出し、シャッター３４の開動作が完了したか否かを判定する（ステップＳ１２３）。開動作が完了していない間（ステップＳ１２３；Ｎｏ）、全体制御プロセッサー１０は、開動作の完了まで待機する。開動作が完了したと判定した場合（ステップＳ１２３；Ｙｅｓ）、全体制御プロセッサー１０は、映像出力系プロセッサー２０に対して光源部３１を点灯するよう指示を送信し（ステップＳ１２４）、ステップＳ１０５に移行する。
【００７４】
映像出力系プロセッサー２０は、全体制御プロセッサー１０から光源部３１の点灯の指示を受信しない間は（ステップＳ２２１；Ｎｏ）、待機状態を継続する。光源部３１の点灯の指示を受信した場合（ステップＳ２２１；Ｙｅｓ）、映像出力系プロセッサー２０は、ステップＳ２０８に移行して光源部３１を点灯させ、本処理を終了する。
【００７５】
このように、第３実施形態のプロジェクター１Ａは、光変調装置３２により変調された光を遮るシャッター３４と、シャッター３４を駆動する投射光学系駆動部５３とを備える。全体制御プロセッサー１０は、投射光学系駆動部５３を制御してシャッター３４を開放させ、映像出力系プロセッサー２０は、全体制御プロセッサー１０の制御によりシャッター３４が開放された後に光源部３１を点灯させる。従って、全体制御プロセッサー１０が、シャッターを開く動作を実行するタイミングを調整することで、待ち時間を短縮し、プロジェクター１が起動してから映像を表示可能になるまでの時間を短縮できる。
【００７６】
また、全体制御プロセッサー１０は、ＯＳ４１を起動する前に、投射光学系駆動部５３によりシャッター３４を開放させる制御を行うので、ＯＳ４１を起動する間に、シャッター３４の開動作を実行できる。このため、シャッター３４の開動作が完了するまでの待ち時間、或いは、ＯＳ４１が起動するまでの待ち時間を短縮できる。従って、プロジェクター１Ａが起動してから映像を表示可能になるまでの時間を、より効果的に短縮できる。
また、図５（Ａ）及び（Ｂ）に示した第３実施形態の動作において、光源部３１が放電管光源を備える場合、図３（Ａ）のステップＳ１１１及び図３（Ｂ）のステップＳ２１１、Ｓ２１２に示した動作を実行してもよい。
【００７７】
なお、上述した各実施形態は、本発明の好適な実施形態を示すものであり、本発明を限定するものではなく、本発明の要旨を逸脱しない範囲内において種々の変形実施が可能である。
例えば、上述した実施形態では、全体制御プロセッサー１０と映像出力系プロセッサー２０のそれぞれがフレームメモリー１３、２３に接続される構成を例示して説明したが、本発明はこれに限定されない。例えば、全体制御プロセッサー１０と映像出力系プロセッサー２０との両方が書き込みおよび読み出し可能な１つのフレームメモリーを備えてもよい。
【００７８】
また、映像出力系プロセッサー２０が使用するパラメーター４３の一部を、ＲＯＭ２１に予め書き込む構成としてもよい。この場合、ＲＯＭ２１は、書き換え可能なＥＥＰＲＯＭ等としてもよい。例えば、パラメーター４３に含まれる各種の値のうち、プロジェクター１、１Ａの仕様や特性により固定的な値を、ＲＯＭ２１に書き込んでもよい。また、全体制御プロセッサー１０の制御により、不揮発性記憶部４０が記憶するパラメーター４３を適宜更新してもよい。
また、上記各実施形態において、映像出力系プロセッサー２０の制御対象である光源駆動部５１及び光変調装置駆動部５２について、全体制御プロセッサー１０が、その状態の検出等を行ってもよい。
【００７９】
また、上記各実施形態では、電源オンを指示する操作を操作受付部６３が受け付けた場合に、全体制御プロセッサー１０が映像出力系プロセッサー２０のリセットを解除するものとした。映像出力系プロセッサー２０のリセット解除を全体制御プロセッサー１０が行う構成は必須ではない。例えば、電源オン操作がなされる前に、映像出力系プロセッサー２０のリセットが解除されていてもよい。
【００８０】
また、本発明の表示装置は、透過型液晶パネル、反射型液晶パネル、或いはＤＭＤを具備する光変調装置３２を用いたプロジェクターとして説明したが、プロジェクター１、１Ａにおいて画像光を生成する変調装置の構成は任意である。また、本発明の表示装置は、スクリーンＳＣに画像を投射するプロジェクターに限定されない。例えば、表示装置は、液晶表示パネルに画像を表示する液晶モニター又は液晶テレビ、或いは、ＰＤＰ（プラズマディスプレイパネル）に画像を表示するモニター装置又はテレビ受像機とすることができる。また、例えば、ＯＬＥＤ（Organic light-emitting diode）、ＯＥＬ（Organic Electro-Luminescence）等と呼ばれる有機ＥＬ表示パネルに画像を表示するモニター装置やテレビ受像機等、自発光型の表示装置に本発明を適用してもよい。
【００８１】
また、図１、図４に示すプロジェクター１、１Ａの各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１、１Ａの他の各部の具体的な細部構成についても、本発明の趣旨を逸脱しない範囲で任意に変更可能である。
【符号の説明】
【００８２】
１、１Ａ…プロジェクター（表示装置）、１０…全体制御プロセッサー（第１プロセッサー）、１１、２１…ＲＯＭ、１２、２２…メモリー、１３、２３…フレームメモリー、２０…映像出力系プロセッサー（第２プロセッサー）、３０、３０Ａ…表示部、３１…光源部（光源）、３２…光変調装置(変調装置)、３３、３３Ａ…投射光学系、３４…シャッター、４０…不揮発性記憶部（記憶部）、４１…ＯＳ、４２…プログラム、４３…パラメーター（制御データ）、５１…光源駆動部、５２…光変調装置駆動部、５３…投射光学系駆動部（シャッター駆動部）、６１…リモコン受光部、６２…操作パネル、６３…操作受付部、６５…外部機器Ｉ／Ｆ、ＳＣ…スクリーン。
【図１】
0006701747.tif 000002
【図２】
0006701747.tif 000003
【図３】
0006701747.tif 000004
【図４】
0006701747.tif 000005
【図５】
0006701747.tif 000006